(57)【要約】【課題】少なくとも２つのアナログチューナを備え、チャンネルサーチ処理とステーションネーム検出処理を並列に実行可能なチャンネルサーチ装置を提供する。【解決手段】チャンネルサーチ装置１０は、チャンネルサーチを行う第１の受信手段と、該第１の受信手段によりチャンネルサーチされた周波数データに基づいてテレテキストデータを取得し、該取得したテレテキストデータからステーションネームを検出する第２の受信手段とを備える。第１の受信手段がチャンネルサーチを行っている間に、第２の受信手段がステーションネームを検出し、得られた周波数データ及びステーションネームをメモリ１９に記憶する。【選択図】図１
2007295231.tif 000002
【特許請求の範囲】
【請求項１】
アナログ放送信号を受信するための受信手段を少なくとも２つ備えたチャンネルサーチ装置において、
チャンネルサーチを行う第１の受信手段と、該第１の受信手段によりチャンネルサーチされた周波数データに基づいてテレテキストデータを取得し、該取得したテレテキストデータからステーションネームを検出する第２の受信手段とを備え、
前記第１の受信手段がチャンネルサーチを行っている間に、前記第２の受信手段がステーションネームを検出することを特徴とするチャンネルサーチ装置。
【請求項２】
請求項１に記載のチャンネルサーチ装置において、
前記第１の受信手段によりチャンネルサーチされた周波数データと、前記第２の受信手段により検出されたステーションネームとを記憶する記憶手段を備え、
前記第１の受信手段は、チャンネルサーチされた周波数データの直前のステーションネームの検出処理が終了しているかどうかを判定する手段を備え、該ステーションネームの検出処理が終了していることを条件として、前記周波数データを前記記憶手段に記憶することを特徴とするチャンネルサーチ装置。
【請求項３】
請求項１又は２に記載のチャンネルサーチ装置において、
前記第１の受信手段は、アナログ放送信号を受信すると共に、アナログのＡＦＴ電圧信号を出力するアナログチューナと、該アナログチューナから出力されたアナログのＡＦＴ電圧信号をデジタルのＡＦＴ電圧信号に変換するＡＤコンバータとを備え、
前記ＡＤコンバータで変換されたＡＦＴ電圧信号に基づいて前記アナログ放送信号の周波数データを検出することを特徴とするチャンネルサーチ装置。
【請求項４】
請求項１又は２に記載のチャンネルサーチ装置において、
前記第１の受信手段は、アナログ放送信号を受信すると共に、アナログのＡＦＴ電圧信号を出力するアナログチューナと、該アナログチューナから出力されたアナログのＡＦＴ電圧信号をデジタルのＡＦＴ電圧信号に変換するＡＤコンバータとを備え、
前記ＡＤコンバータで変換されたＡＦＴ電圧信号及び前記アナログチューナで受信されたアナログ放送信号に含まれる同期信号に基づいて前記アナログ放送信号の周波数データを検出することを特徴とするチャンネルサーチ装置。
【請求項５】
アナログ放送信号を受信するための受信手段を少なくとも２つ備えたチャンネルサーチ装置のチャンネルサーチ方法において、
第１の受信手段が、チャンネルサーチを行うステップを有し、
第２の受信手段が、前記第１の受信手段がチャンネルサーチを行っている間に、該第１の受信手段により設定される周波数データに基づいてテレテキストデータを取得し、該取得したテレテキストデータからステーションネームを検出するステップを有することを特徴とするチャンネルサーチ方法。
【請求項６】
請求項５に記載のチャンネルサーチ方法において、
前記第１の受信手段が、チャンネルサーチされた周波数データの直前のステーションネームの検出処理が終了しているかどうかを判定するステップと、該ステーションネームの検出処理が終了していることを条件として、前記周波数データを記憶手段に記憶するステップとを有することを特徴とするチャンネルサーチ方法。
【請求項７】
請求項５又は６に記載のチャンネルサーチ方法において、
前記第１の受信手段が、アナログ放送信号を受信すると共に、アナログのＡＦＴ電圧信号を出力するステップと、該アナログのＡＦＴ電圧信号をデジタルのＡＦＴ電圧信号に変換するステップと、該変換されたデジタルのＡＦＴ電圧信号に基づいて前記アナログ放送信号の周波数データを検出するステップとを有することを特徴とするチャンネルサーチ方法。
【請求項８】
請求項５又は６に記載のチャンネルサーチ方法において、
前記第１の受信手段が、アナログ放送信号を受信すると共に、アナログのＡＦＴ電圧信号を出力するステップと、該アナログのＡＦＴ電圧信号をデジタルのＡＦＴ電圧信号に変換するステップと、該変換されたデジタルのＡＦＴ電圧信号及び前記第１の受信手段で受信されたアナログ放送信号に含まれる同期信号に基づいて前記アナログ放送信号の周波数データを検出するステップとを有することを特徴とするチャンネルサーチ方法。
【発明の詳細な説明】
【技術分野】
【０００１】
本発明は、チャンネルサーチ装置及び方法、より詳細には、少なくとも２つのアナログチューナを用いてチャンネル自動サーチを行うチャンネルサーチ装置及び該装置によるチャンネルサーチ方法に関する。
【背景技術】
【０００２】
欧州やアジアの一部地域等においては、各国で異なる周波数帯域によってテレビジョン放送が発信されている。このような広域な地域向けの放送受信装置は、各国別に受信周波数をプリセットする作業が煩雑であるため、当該装置がユーザの自宅等に設置された後、受信可能な周波数全域にわたって自動的に放送の発信周波数を検出・登録する機能（所謂オートプリセット機能）を備えている。このオートプリセット機能におけるチャンネル自動検出の方法としては、一般的にＡＦＴ（Ａｕｔｏｍａｔｉｃ  Ｆｉｎｅ  Ｔｕｎｉｎｇ）信号や、映像信号に含まれる垂直・水平同期信号を利用したものが知られている。
【０００３】
例えば、チューナの受信周波数を所定の値ずつ上げながら、そのときのＡＦＴ電圧を検知することにより、放送の有無の判断を行うようにした放送受信装置がある。このような放送受信装置では、放送信号の発信周波数とチューナの受信周波数のずれが一番小さいとき、ＡＦＴ電圧がその基準値の１／２倍の値となることを利用し、ＡＦＴ電圧が基準値の１／２倍の値となる周波数を検出し、その周波数を放送の発信周波数としてメモリに記憶する。
【０００４】
しかしながら、従来のＡＦＴ信号を利用した方法では、ＡＦＴ電圧信号を検出し、その値に従って同調電圧を変化させながら同調を行っているため、各チャンネルの同調検出に時間がかかることがあった。
【０００５】
一方、前述した欧州やアジアの一部地域等においては、アナログ放送信号のオートサーチで受信チャンネルを検出してから、テレテキストに重畳されているステーションネーム（放送局名）を検出し、チャンネルの順番決定や、チャンネルリストなどに使用している。さらに、テレビジョン受像機等の映像機器においては、一般に単一のチューナのみを内蔵したものが多いため、１つのチューナを用いて、放送局（チャンネル）のサーチ及びステーションネームの検出等を順番に行っていた。このため、ＡＦＴ電圧によるチャンネルサーチ及びステーションネームの検出を含む一連のオートプリセット処理に時間がかかっていた。
【０００６】
図４は、従来の単一チューナを備えたチャンネルサーチ装置によるオートプリセット処理を説明するためのフロー図である。まず、チャンネルサーチ装置は、チューナに受信周波数を設定し（ステップＳ１０１）、電圧が安定するまで待機する（ステップＳ１０２）。次に、チューナから出力されるＡＦＴ電圧を測定し（ステップＳ１０３）、このＡＦＴ電圧に基づいて放送のある周波数かどうかを判定する（ステップＳ１０４）。
【０００７】
チャンネルサーチ装置は、ステップＳ１０４において、放送のある周波数と判定された場合（ＹＥＳの場合）、チャンネルデータに周波数データを保存し（ステップＳ１０５）、ステップＳ１０６に移行する。また、ステップＳ１０４において、放送のない周波数と判定された場合（ＮＯの場合）、ステップＳ１０９に移行する。
【０００８】
次に、チャンネルサーチ装置は、ステップＳ１０５でチャンネルデータに周波数データを保存した後に、この周波数データに基づいてテレテキストデータを取得し（ステップＳ１０６）、取得したテレテキストデータからステーションネームが検出できたかどうかを判定する（ステップＳ１０７）。
【０００９】
チャンネルサーチ装置は、ステップＳ１０７において、ステーションネームが検出できた場合（ＹＥＳの場合）、ステーションネームを保存し（ステップＳ１０８）、周波数データを加算する（ステップＳ１０９）。また、ステップＳ１０７において、ステーションネームが検出できない場合（ＮＯの場合）、ステップＳ１０９に移行して周波数データを加算する。
【００１０】
次に、チャンネルサーチ装置は、加算した周波数が設定範囲の周波数かどうかを判定し（ステップＳ１１０）、設定範囲の周波数である場合（ＹＥＳの場合）、ステップＳ１０１に戻り処理を繰り返す。また、ステップＳ１１０において、設定範囲の周波数でない場合（ＮＯの場合）、そのまま終了する。
【００１１】
上記のように、従来は単一のチューナを用いて、放送局（チャンネル）のサーチ及びステーションネームの検出等を順番に行っていたため、オートプリセット処理に時間がかかっていた。
【００１２】
これに対して、複数チューナを用いて交互にチャンネルサーチを行い、受信チャンネルのプリセットの迅速化を図るようにしたものが提案されている（例えば、特許文献１参照）。
【００１３】
上記特許文献１に記載の発明によれば、入力部よりプリセット指示を入力し、制御部を介して選局制御部により２つのチューナを所要の時間間隔で交互にチャンネルサーチさせ、各チューナで受信・復調された信号を信号検出部でそれぞれ検出し、検出された信号に基づいて制御部を介して選局データ判別部で選局データを判別し、選局データ記憶部に記憶する。このチャンネルサーチに対応させてスイッチを切り換え、各チューナよりの信号に基づく映像を表示部に表示する。
【特許文献１】特開平１０−１５０３４６号公報
【発明の開示】
【発明が解決しようとする課題】
【００１４】
上記特許文献１に記載の発明は、２つのチューナを用いてオートプリセットを行うものであるが、ＮＴＳＣ方式単独の用途に限定したものであり、前述した欧州やアジアの一部地域におけるＰＡＬ方式等の用途は考慮されていない。従って、２つのチューナで交互に放送局のサーチを行うだけであり、ステーションネームの検出等が考慮されていない。
【００１５】
また、アナログチューナを２機搭載し、ダブルウィンドウ機能を備えたテレビジョン受像機なども存在するが、やはり片方のチューナのみを使用してチャンネルプリセット処理が行われており、前述の単一チューナの場合と同様に時間がかかっていた。
【００１６】
本発明は、上述のごとき実情に鑑みてなされたものであり、少なくとも２つのアナログチューナを備え、チャンネルサーチ処理とステーションネーム検出処理を並列に実行可能なチャンネルサーチ装置及び該装置によるチャンネルサーチ方法を提供すること、を目的とする。
【課題を解決するための手段】
【００１７】
上記課題を解決するために、本発明の第１の技術手段は、アナログ放送信号を受信するための受信手段を少なくとも２つ備えたチャンネルサーチ装置において、チャンネルサーチを行う第１の受信手段と、該第１の受信手段によりチャンネルサーチされた周波数データに基づいてテレテキストデータを取得し、該取得したテレテキストデータからステーションネームを検出する第２の受信手段とを備え、前記第１の受信手段がチャンネルサーチを行っている間に、前記第２の受信手段がステーションネームを検出することを特徴としたものである。
【００１８】
第２の技術手段は、第１の技術手段において、前記第１の受信手段によりチャンネルサーチされた周波数データと、前記第２の受信手段により検出されたステーションネームとを記憶する記憶手段を備え、前記第１の受信手段は、チャンネルサーチされた周波数データの直前のステーションネームの検出処理が終了しているかどうかを判定する手段を備え、該ステーションネームの検出処理が終了していることを条件として、前記周波数データを前記記憶手段に記憶することを特徴としたものである。
【００１９】
第３の技術手段は、第１又は第２の技術手段において、前記第１の受信手段は、アナログ放送信号を受信すると共に、アナログのＡＦＴ電圧信号を出力するアナログチューナと、該アナログチューナから出力されたアナログのＡＦＴ電圧信号をデジタルのＡＦＴ電圧信号に変換するＡＤコンバータとを備え、前記ＡＤコンバータで変換されたＡＦＴ電圧信号に基づいて前記アナログ放送信号の周波数データを検出することを特徴としたものである。
【００２０】
第４の技術手段は、第１又は第２の技術手段において、前記第１の受信手段は、アナログ放送信号を受信すると共に、アナログのＡＦＴ電圧信号を出力するアナログチューナと、該アナログチューナから出力されたアナログのＡＦＴ電圧信号をデジタルのＡＦＴ電圧信号に変換するＡＤコンバータとを備え、前記ＡＤコンバータで変換されたＡＦＴ電圧信号及び前記アナログチューナで受信されたアナログ放送信号に含まれる同期信号に基づいて前記アナログ放送信号の周波数データを検出することを特徴としたものである。
【００２１】
第５の技術手段は、アナログ放送信号を受信するための受信手段を少なくとも２つ備えたチャンネルサーチ装置のチャンネルサーチ方法において、第１の受信手段が、チャンネルサーチを行うステップを有し、第２の受信手段が、前記第１の受信手段がチャンネルサーチを行っている間に、該第１の受信手段により設定される周波数データに基づいてテレテキストデータを取得し、該取得したテレテキストデータからステーションネームを検出するステップを有することを特徴としたものである。
【００２２】
第６の技術手段は、第５の技術手段において、前記第１の受信手段が、チャンネルサーチされた周波数データの直前のステーションネームの検出処理が終了しているかどうかを判定するステップと、該ステーションネームの検出処理が終了していることを条件として、前記周波数データを記憶手段に記憶するステップとを有することを特徴としたものである。
【００２３】
第７の技術手段は、第５又は第６の技術手段において、前記第１の受信手段が、アナログ放送信号を受信すると共に、アナログのＡＦＴ電圧信号を出力するステップと、該アナログのＡＦＴ電圧信号をデジタルのＡＦＴ電圧信号に変換するステップと、該変換されたデジタルのＡＦＴ電圧信号に基づいて前記アナログ放送信号の周波数データを検出するステップとを有することを特徴としたものである。
【００２４】
第８の技術手段は、第５又は第６の技術手段において、前記第１の受信手段が、アナログ放送信号を受信すると共に、アナログのＡＦＴ電圧信号を出力するステップと、該アナログのＡＦＴ電圧信号をデジタルのＡＦＴ電圧信号に変換するステップと、該変換されたデジタルのＡＦＴ電圧信号及び前記第１の受信手段で受信されたアナログ放送信号に含まれる同期信号に基づいて前記アナログ放送信号の周波数データを検出するステップとを有することを特徴としたものである。
【発明の効果】
【００２５】
本発明によれば、少なくとも２つのアナログチューナを備え、チャンネルサーチ処理とステーションネーム検出処理を並列に実行できるため、オートサーチに要する時間を短縮することが可能となる。
【発明を実施するための最良の形態】
【００２６】
以下、添付図面を参照しながら、本発明のチャンネルサーチ装置及び該装置によるチャンネルサーチ方法の好適な実施形態について説明する。
【００２７】
本発明のチャンネルサーチ装置は、２つのアナログチューナを備え、一方のアナログチューナでチャンネルサーチを行い、チャンネルを見つけたところで他方のアナログチューナにその周波数データを設定し、さらに、他方のアナログチューナは、設定された周波数データに基づいてテレテキストデータを取得し、このテレテキストデータからステーションネームを検出する。
【００２８】
すなわち、一方のアナログチューナはそのままチャンネルサーチを継続し、次のチャンネルを見つけるまでに他方のアナログチューナがステーションネームを検出・設定する。このように、チャンネルサーチ処理とステーションネーム検出処理が並列に実行されるために、チャンネル自動サーチ処理の高速化を図ることができる。
【００２９】
なお、本発明のチャンネルサーチ装置は、例えば、複数のアナログチューナを備えたテレビジョン受像機や記録再生装置（ＨＤＤレコーダ、ＤＶＤレコーダ等）などに適用可能であり、また、特に、テレテキストデータを取得可能な欧州やアジアの一部地域などにおいて好適に用いることができる。
【００３０】
図１は、本発明の一実施形態に係るチャンネルサーチ装置の構成例を示すブロック図で、図中、１０はチャンネルサーチ装置で、該チャンネルサーチ装置１０は、第１のアナログチューナ１１、Ａ／Ｄコンバータ１２、制御部１３、同期分離部１４、ビデオデコーダ１５、第２のアナログチューナ１６、データスライサ１７、テレテキストデコーダ１８、及びメモリ１９を備えて構成される。
【００３１】
なお、本発明の第１の受信手段は、第１のアナログチューナ１１、Ａ／Ｄコンバータ１２、制御部１３、同期分離部１４、及びビデオデコーダ１５を含み、本発明の第２の受信手段は、制御部１３、第２のアナログチューナ１６、データスライサ１７、及びテレテキストデコーダ１８を含むものとする。
【００３２】
チャンネル自動サーチ処理時において、第１のアナログチューナ１１は、テレビジョン放送のアナログ放送信号を受信すると共に、アナログのＡＦＴ電圧信号を出力する。Ａ／Ｄコンバータ１２は、第１のアナログチューナ１１から出力されたアナログのＡＦＴ電圧信号を、制御部１３により検出可能なようにデジタルのＡＦＴ電圧信号に変換する。
【００３３】
制御部１３は、チャンネルサーチ装置１０が備える各部の制御を司るＣＰＵ、ＣＰＵにより実行される制御プログラムやデータ等を格納したＲＯＭ、制御プログラムの実行領域であるＲＡＭ等を備えて構成される。また、制御部１３は、半導体メモリなどの記憶手段であるメモリ１９と接続され、第１の受信手段を用いてチャンネルサーチされた周波数データや、第２の受信手段を用いて検出されたステーションネームをメモリ１９に保存する処理を行う。
【００３４】
同期分離部１４は、第１のアナログチューナ１１からの映像信号に含まれる垂直同期・水平同期信号を分離抽出し、その結果を同期検出信号としてビデオデコーダ１５に出力する。ビデオデコーダ１５は、第１のアナログチューナ１１からの入力映像信号をアナログ／デジタル変換して後段の図示しない表示部に出力すると共に、同期分離部１４からの同期検出信号を制御部１３に出力する。
【００３５】
制御部１３は、Ａ／Ｄコンバータ１２で変換されたデジタルのＡＦＴ電圧信号、あるいは、ＡＦＴ電圧信号及び垂直同期・水平同期信号に基づいてアナログ放送信号の周波数データを検出する処理を実行する。
【００３６】
チャンネル自動サーチ処理時において、制御部１３は、第１のアナログチューナ１１が受信可能な下限の周波数から上限の周波数に至るまで、周波数を所定の値ずつ増減させた受信周波数を設定し、第１のアナログチューナ１１が受信周波数を調整するように指示する。この指示を受けた第１のアナログチューナ１１は、上記受信周波数にチューニングし、アナログのＡＦＴ電圧信号をＡ／Ｄコンバータ１２に出力する。
【００３７】
Ａ／Ｄコンバータ１２は、第１のアナログチューナ１１から出力されたアナログのＡＦＴ電圧信号を制御部１３で検出可能なようにデジタル信号に変換する。制御部１３は、Ａ／Ｄコンバータ１２で変換したデジタルのＡＦＴ電圧信号を検出し、このＡＦＴ電圧信号に基づいてアナログ放送信号の周波数データを検出する。
【００３８】
また、第１のアナログチューナ１１で受信されたアナログ放送信号に含まれる垂直同期・水平同期信号を検出するようにしてもよい。上記ＡＦＴ電圧信号に加えて、垂直同期・水平同期信号を検出することで、より確実なチャンネルサーチが可能となる。この場合、制御部１３は、ＡＦＴ電圧信号に基づいて検出された周波数データを第１のアナログチューナ１１に設定する。
【００３９】
第１のアナログチューナ１１は、制御部１３によって設定された周波数データの値に従って、アナログ放送信号を受信し、映像信号を同期分離部１４に出力する。同期分離部１４は、前述したように、第１のアナログチューナ１１からの映像信号に含まれる垂直同期・水平同期信号を分離抽出し、その結果を同期検出信号としてビデオデコーダ１５に出力する。ビデオデコーダ１５は、同期分離部１４からの同期検出信号を制御部１３に出力する。
【００４０】
制御部１３は、ビデオデコーダ１５からの同期検出信号に基づいて同期信号の有無を判定する処理を実行し、その結果、映像信号に同期信号が含まれている場合、そのときの周波数データをメモリ１９に記憶する。また、映像信号に同期信号が含まれない場合、そのときの周波数データは記憶せずに、ＡＦＴ電圧信号の検出から処理を繰り返す。
【００４１】
一方、第２のアナログチューナ１６は、第１のアナログチューナ１１と同様の構成であるが、チャンネル自動サーチ処理時においては、第１のアナログチューナ１１によりチャンネルサーチされた周波数データに基づいてテレテキストデータを含む映像信号を受信する。データスライサ１７は、第２のアナログチューナ１６で受信した映像信号からテレテキストデータを分離・抽出してテレテキストデコーダ１８に出力する。テレテキストデコーダ１８は、データスライサ１７で分離・抽出されたテレテキストデータをデコードし、デコードしたテレテキストデータを制御部１３に出力する。
【００４２】
このように、制御部１３は、第１のアナログチューナ１１がチャンネルサーチを行っている間に、テレテキストデコーダ１８でデコードされたテレテキストデータからステーションネームを検出・設定する処理を行う。このステーションネームの検出は、テレテキストデータを読み取り、チャンネルリストをサーチすることにより実行される。
【００４３】
制御部１３が検出した周波数データ及びステーションネームはメモリ１９に記憶され、チャンネル（周波数データ）が利用可能に登録される。このとき、制御部１３は、チャンネルサーチされた周波数データの直前のステーションネームの検出処理が終了しているかどうかを判定し、ステーションネームの検出が終了していることを条件として、周波数データをメモリ１９に記憶するようにしてもよい。
【００４４】
この場合、チャンネルサーチされた周波数データは、直前にチャンネルサーチされた周波数データに対応するステーションネームの検出が終了していないと、メモリ１９に記憶されず、ステーションネームの検出終了が確認されてからメモリ１９に記憶されるため、周波数データとステーションネームが対応してセットで記憶されることになる。
【００４５】
なお、最初にチャンネルサーチされた周波数データは、直前に検出されるステーションネームが存在しないため、ステーションネームの検出に係らず、メモリ１９に記憶しておくようにする。そして、次の周波数データが検出されたときに、該次の周波数データを、最初にチャンネルサーチされた周波数データに応じたステーションネームの検出が終了していることを条件として、メモリ１９に記憶する。このようなチャンネルサーチ及びステーションネーム検出を、受信可能な周波数帯において繰り返し行う。
【００４６】
以上のように、制御部１３は、第１の受信手段（第１のアナログチューナ１１、Ａ／Ｄコンバータ１２、制御部１３、同期分離部１４、及びビデオデコーダ１５）がチャンネルサーチを行っている間に、第２の受信手段（制御部１３、第２のアナログチューナ１６、データスライサ１７、及びテレテキストデコーダ１８）がステーションネームを検出するように制御する。このときの処理の流れを図２及び図３に示すフローに基づいて説明する。
【００４７】
図２は、図１に示したチャンネルサーチ装置１０によるチャンネルサーチ方法の一例を説明するためのフロー図である。まず、チャンネルサーチ装置１０は、第１のアナログチューナ１１に受信周波数を設定し（ステップＳ１）、電圧が安定するまで待機する（ステップＳ２）。次に、第１のアナログチューナ１１から出力されるＡＦＴ電圧を測定し（ステップＳ３）、このＡＦＴ電圧に基づいて放送のある周波数かどうかを判定する（ステップＳ４）。
【００４８】
次に、チャンネルサーチ装置１０は、ステップＳ４において、放送のある周波数と判定された場合（ＹＥＳの場合）、第１の受信手段にはチャンネルサーチ処理を、第２の受信手段にはステーションネーム検出処理をそれぞれ並列して実行させる。また、ステップＳ４において、放送のない周波数と判定された場合（ＮＯの場合）、ステップＳ８に移行する。
【００４９】
第１の受信手段は、ステップＳ４で放送のある周波数と判定された場合（ＹＥＳの場合）、チャンネルサーチされた周波数データの直前のステーションネーム検出処理が終わっているかどうかを判定し（ステップＳ５）、直前のステーションネームの検出処理が終わっている場合（ＹＥＳの場合）、メモリ１９のチャンネルデータに上記周波数データを保存する（ステップＳ７）。また、ステップＳ５において、直前のステーションネームの検出処理が終わっていない場合（ＮＯの場合）、ステップＳ６で待機状態に移行し、ステップＳ５に戻り処理を繰り返す。
【００５０】
次に、第１の受信手段は、ステップＳ７でチャンネルデータに周波数データを保存した後に、周波数データを加算し（ステップＳ８）、加算した周波数が設定範囲の周波数かどうかを判定し（ステップＳ９）、設定範囲の周波数である場合（ＹＥＳの場合）、ステップＳ１に戻り処理を繰り返す。また、ステップＳ９において、設定範囲の周波数でない場合（ＮＯの場合）、そのまま終了する。
【００５１】
一方、第２の受信手段は、前述のステップＳ４で放送のある周波数と判定された場合（ＹＥＳの場合）、第１の受信手段によりサーチされた周波数データを第２のアナログチューナ１６に設定し（ステップＳ１０）、この周波数データに基づいてテレテキストデータを取得し（ステップＳ１１）、取得したテレテキストデータからステーションネームが検出できたかどうかを判定する（ステップＳ１２）。
【００５２】
第２の受信手段は、ステップＳ１２において、ステーションネームが検出できた場合（ＹＥＳの場合）、ステーションネームをメモリ１９に保存し（ステップＳ１３）、終了する。また、ステップＳ１２において、ステーションネームが検出できない場合（ＮＯの場合）、そのまま終了する。
【００５３】
図３は、図１に示したチャンネルサーチ装置１０によるチャンネルサーチ方法の他の例を説明するためのフロー図である。まず、チャンネルサーチ装置１０は、第１のアナログチューナ１１に受信周波数を設定し（ステップＳ２１）、電圧が安定するまで待機する（ステップＳ２２）。次に、第１のアナログチューナ１１から出力されるＡＦＴ電圧を測定し（ステップＳ２３）、このＡＦＴ電圧に基づいて放送のある周波数かどうかを判定する（ステップＳ２４）。
【００５４】
次に、チャンネルサーチ装置１０は、ステップＳ２４において、放送のある周波数と判定された場合（ＹＥＳの場合）、放送信号に垂直同期及び水平同期信号が存在するかどうかを判定する（ステップＳ２５）。ここで、垂直同期及び水平同期信号が存在すると判定された場合（ＹＥＳの場合）、第１の受信手段にはチャンネルサーチ処理を、第２の受信手段にはステーションネーム検出処理をそれぞれ並列して実行させる。また、ステップＳ２４において、放送のない周波数と判定された場合（ＮＯの場合）、あるいは、ステップＳ２５において、垂直同期及び水平同期信号が存在しないと判定された場合（ＮＯの場合）、ステップＳ２９に移行する。
【００５５】
第１の受信手段は、ステップＳ２５で垂直同期及び水平同期信号が存在すると判定された場合（ＹＥＳの場合）、チャンネルサーチされた周波数データの直前のステーションネーム検出処理が終わっているかどうかを判定し（ステップＳ２６）、直前のステーションネームの検出処理が終わっている場合（ＹＥＳの場合）、メモリ１９のチャンネルデータに上記周波数データを保存する（ステップＳ２８）。また、ステップＳ２６において、直前のステーションネームの検出処理が終わっていない場合（ＮＯの場合）、ステップＳ２７で待機状態に移行し、ステップＳ２６に戻り処理を繰り返す。
【００５６】
次に、第１の受信手段は、ステップＳ２８でチャンネルデータに周波数データを保存した後に、周波数データを加算し（ステップＳ２９）、加算した周波数が設定範囲の周波数かどうかを判定し（ステップＳ３０）、設定範囲の周波数である場合（ＹＥＳの場合）、ステップＳ２１に戻り処理を繰り返す。また、ステップＳ３０において、設定範囲の周波数でない場合（ＮＯの場合）、そのまま終了する。
【００５７】
一方、第２の受信手段は、前述のステップＳ２５で垂直同期及び水平同期信号が存在すると判定された場合（ＹＥＳの場合）、第１の受信手段によりサーチされた周波数データを第２のアナログチューナ１６に設定し（ステップＳ３１）、この周波数データに基づいてテレテキストデータを取得し（ステップＳ３２）、取得したテレテキストデータからステーションネームが検出できたかどうかを判定する（ステップＳ３３）。
【００５８】
第２の受信手段は、ステップＳ３３において、ステーションネームが検出できた場合（ＹＥＳの場合）、ステーションネームをメモリ１９に保存し（ステップＳ３４）、終了する。また、ステップＳ３３において、ステーションネームが検出できない場合（ＮＯの場合）、そのまま終了する。
【００５９】
上述したように、本発明のチャンネルサーチ装置は、２つのアナログチューナを備え、一方のアナログチューナでチャンネルサーチを行い、チャンネルを見つけたところで他方のアナログチューナにそのチャンネルの周波数データを設定し、さらに、他方のアナログチューナは、設定された周波数データに基づいてテレテキストデータを取得し、このテレテキストデータからステーションネームを検出する。
【００６０】
すなわち、一方のアナログチューナはそのままチャンネルサーチを継続し、次のチャンネルを見つけるまでに他方のアナログチューナがステーションネームを検出・設定する。このように、チャンネルサーチ処理とステーションネーム検出処理が並列に実行されるために、チャンネル自動サーチ処理の高速化を図ることができる。
【図面の簡単な説明】
【００６１】
【図１】本発明の一実施形態に係るチャンネルサーチ装置の構成例を示すブロック図である。
【図２】図１に示したチャンネルサーチ装置によるチャンネルサーチ方法の一例を説明するためのフロー図である。
【図３】図１に示したチャンネルサーチ装置によるチャンネルサーチ方法の他の例を説明するためのフロー図である。
【図４】従来の単一チューナを備えたチャンネルサーチ装置によるオートプリセット処理を説明するためのフロー図である。
【符号の説明】
【００６２】
１０…チャンネルサーチ装置、１１…第１のアナログチューナ、１２…Ａ／Ｄコンバータ、１３…制御部、１４…同期分離部、１５…ビデオデコーダ、１６…第２のアナログチューナ、１７…データスライサ、１８…テレテキストデコーダ、１９…メモリ。
【図１】
2007295231.tif 000003
【図２】
2007295231.tif 000004
【図３】
2007295231.tif 000005
【図４】
2007295231.tif 000006